(57)【要約】【課題】  視線の移動範囲を小さくして、素早く、しかも正確にモニタ内容を読み取ることができる検鏡者への負担を軽減した顕微鏡システム及び表示部取付け装置を提供する。【解決手段】  試料３に照明光を照射し前記試料３の観察像を取得する対物レンズ６を有する顕微鏡本体１と、対物レンズ６からの観察像を観察する接眼レンズ９を有する三眼鏡筒８を有し、前記顕微鏡本体１の側方で、且つ接眼レンズ９の近傍に各種の情報を表示するモニタ１０を配置する。【選択図】      図１
2007256810.tif 000002
【特許請求の範囲】
【請求項１】
試料に照明光を照射し前記試料の観察像を取得する対物レンズを有する顕微鏡本体と、
前記対物レンズからの観察像を観察する接眼レンズを有する観察鏡筒と、
前記顕微鏡本体の側方で、且つ前記接眼レンズの近傍に配置され、各種の情報を表示する表示手段と
を具備したことを特徴とする顕微鏡システム。
【請求項２】
前記表示手段は、前記接眼レンズにより観察する際のアイポイントと同じ高さに配置されることを特徴とする請求項１記載の顕微鏡システム。
【請求項３】
前記表示手段は、表示部と、該表示部を前記顕微鏡本体又は観察鏡筒に固定する固定手段を有することを特徴とする請求項１記載の顕微鏡システム。
【請求項４】
試料に照明光を照射し前記試料の観察像を取得する対物レンズを有する顕微鏡本体と、前記対物レンズからの観察像を観察する接眼レンズを有する観察鏡筒と、前記観察像を取得する撮像部と、前記撮像部が取得した前記試料の観察画像及び各種情報を表示させるための表示部と、を備えた顕微鏡に用いられる表示部取付け装置であって、
前記顕微鏡本体の側方で、且つ前記接眼レンズの近傍に前記表示部を保持する保持部と、前記保持部を前記顕微鏡本体又は観察鏡筒に固定する固定部と、
を有することを特徴とする表示部取付け装置。
【発明の詳細な説明】
【技術分野】
【０００１】
本発明は、試料の観察像などを表示する表示機能を有する顕微鏡システム及び表示部取付け装置に関するものである。
【背景技術】
【０００２】
従来、顕微鏡システムとして試料の観察像を撮像装置で撮像し、この撮像装置に取り込まれた映像を表示部に表示させるようにした機能を有するものがある。つまり、このような顕微鏡システムは、接眼レンズによる観察像の目視観察に加えて、観察像をモニタに表示させて観察するモニタ観察を可能にしたものである。
【０００３】
図１５は、このような顕微鏡システムの一例を示すもので、ベース部１０１ａと、このベース部１０１ａから上方に延びる支柱部１０１ｂと、この支柱部１０１ｂの上端から前記ベース部１０１ａに対向した状態で水平に延びるアーム部１０１ｃを有する顕微鏡本体１０１を有している。顕微鏡本体１０１のベース部１０１ａには、試料１０２を載置したステージ１０３が設けられ、アーム部１０１ｃ先端には、レボルバ１０４を介して対物レンズ１０５が設けられている。また、アーム部１０１ｃ先端には、三眼鏡筒１０６が装着され、この三眼鏡筒１０６には、接眼レンズ１０７と撮像装置１０８が設けられている。
【０００４】
このような顕微鏡は、不図示の焦準装置によりベース部１０１ａが上下動し、対物レンズ１０５との間の相対距離を調整することで試料１０２の焦点合わせが行われる。また、不図示の照明光学系によりステージ１０３上の試料１０２に照明光が照射されると、試料１０２面で反射された光が対物レンズ１０５、レボルバ１０４を通って三眼鏡筒１０６に導かれ、この三眼鏡筒１０６で分割され、一方の光が接眼レンズ１０７に導かれ、検鏡者により目視観察される。また、他方の光が撮像装置１０８の撮像面に導かれ撮像される。撮像装置１０８には、ケーブル１０９を介して表示装置１１０が接続されている。表示装置１１０には、撮像装置１０８で撮像された映像信号が送られ、試料１０２の観察像のモニタ観察が行われる。
【０００５】
ところが、このような従来の顕微鏡システムでは、表示装置１１０が顕微鏡本体１０１の周辺に離れて設置されているため、机上の占有スペースが著しく大きくなり、顕微鏡の操作性の低下を招き易い。また、接眼レンズ１０７での目視観察と表示装置１１０でのモニタ観察を切り替えて行う場合、検鏡者は、視線を大きく移動させなければならないため、観察したい注目部位が大きくずれてしまうなど安定して目視観察とモニタ観察を行うことが難しい。
【０００６】
このような問題を解決するものとして、例えば、特許文献１に開示されるように接眼レンズの上方にモニタを配置し、このモニタにより電子カメラで撮影した観察像の映像を観察できるようにしたものや、特許文献２に開示されるように接眼レンズの下方にモニタを配置し、このモニタに被観察体の撮像画像を表示するようにしたものがある。
【０００７】
このような特許文献１，２の方法によれば、接眼レンズの上下位置にモニタが配置されるので、従来の顕微鏡システムと比べて机上の占有スペースを小さくできるとともに、接眼レンズでの目視観察とモニタによる観察の切り替えの際の検鏡者の視線の移動範囲も小さくできる。
【特許文献１】特開２０００-８３１８４号公報
【特許文献２】国際公開番号Ｗ００１-０２３９３７号公報
【発明の開示】
【発明が解決しようとする課題】
【０００８】
ところで、最近、観察対象となる試料の多様化や観察目的の多様化が進んでおり、このため、モニタ観察を可能にした顕微鏡では、観察像をモニタ表示だけでなく、例えば観察試料の解説や観察目的に応じた操作手順の説明などを表示し、検鏡者は、これら表示内容を確認しながら観察作業を進めるようなことも行われている。
【０００９】
この場合、検鏡者は、接眼レンズにより観察像を目視観察しながら、例えば次の観察ステップに必要な操作手順の説明をモニタ上の表示から素早く読み取り、次の顕微鏡操作を行うといった作業を繰り返して、顕微鏡観察を進めるようになる。したがって、このような場合、検鏡者は、さらに視線の移動範囲を小さくして、素早く、しかも正確にモニタ内容を読み取れることが望ましい。
【００１０】
ところが、特許文献１，２の方法では、占有スペースの問題は解決されているが、モニタを見るために接眼レンズで観察している視線を上方または下方へ移動しなければならない。しかし、一般的に、人間が頭を動かさないで見ることのできる範囲は、目に対して上下方向が左右方向に比べて狭いことが知られている。このため、人間の眼の機能を考慮すると、特許文献１，２のように検鏡者が視線を上方または下方に移動させて、素早く、しかも正確にモニタ内容を読み取ろうとすると、検鏡者への負担となるという問題があった。
【００１１】
本発明は上記事情に鑑みてなされたもので、視線の移動範囲を小さくして、素早く、しかも正確にモニタ内容を読み取ることができる検鏡者への負担を軽減した顕微鏡システム及び表示部取付け装置を提供することを目的とする。
【課題を解決するための手段】
【００１２】
請求項１記載の発明は、試料に照明光を照射し前記試料の観察像を取得する対物レンズを有する顕微鏡本体と、前記対物レンズからの観察像を観察する接眼レンズを有する観察鏡筒と、前記顕微鏡本体の側方で、且つ前記接眼レンズの近傍に配置され、各種の情報を表示する表示手段とを具備したことを特徴としている。
【００１３】
請求項２記載の発明は、請求項１記載の発明において、前記表示手段は、前記接眼レンズにより観察する際のアイポイントと同じ高さに配置されることを特徴としている。
【００１４】
請求項３記載の発明は、請求項１記載の発明において、前記表示手段は、表示部と、該表示部を前記顕微鏡本体又は観察鏡筒に固定する固定手段を有することを特徴としている。
【００１５】
請求項４記載の発明は、試料に照明光を照射し前記試料の観察像を取得する対物レンズを有する顕微鏡本体と、前記対物レンズからの観察像を観察する接眼レンズを有する観察鏡筒と、前記観察像を取得する撮像部と、前記撮像部が取得した前記試料の観察画像及び各種情報を表示させるための表示部と、を備えた顕微鏡に用いられる表示部取付け装置であって、前記顕微鏡本体の側方で、且つ前記接眼レンズの近傍に前記表示部を保持する保持部と、前記保持部を前記顕微鏡本体又は観察鏡筒に固定する固定部とを有することを特徴としている。
【発明の効果】
【００１６】
本発明によれば、視線の移動範囲を小さくして、素早く、しかも正確にモニタ内容を読み取ることができる検鏡者への負担を軽減した顕微鏡システム及び表示部取付け装置を提供できる。
【発明を実施するための最良の形態】
【００１７】
以下、本発明の実施の形態を図面に従い説明する。
【００１８】
（第１の実施の形態）
図１及び図２は、本発明の第１の実施の形態にかかる顕微鏡システムの概略構成を示し、図１は、システム全体を示す図、図２は、要部を示す図である。図１において、１は顕微鏡本体で、この顕微鏡本体１は、ベース部１ａと、このベース部１ａから上方に延びる支柱部１ｂと、この支柱部１ｂの上端から前記ベース部１ａに対向した状態で水平に延びるアーム部１ｃから構成されている。
【００１９】
ベース部１ａには、ステージ２が設けられている。ステージ２は、試料３を載置するもので、焦準ハンドル４の操作により不図示の焦準機構を介し観察光軸ａに沿って上下方向に移動可能となり、試料３の焦点合わせができるようになっている。
【００２０】
アーム部１ｃ先端部の下方には、ステージ２に対向させてレボルバ５が設けられている。レボルバ５には、倍率の異なる複数の対物レンズ６が装着されている。これら対物レンズ６は、レボルバ５の回転によって所望する倍率のものが観察光軸ａ上に切換えられる。
【００２１】
アーム部１ｃには、光源７が設けられている。また、アーム部１ｃ内部には、光源７から発せられる照明光の光路に沿って不図示の照明光学系及びハーフミラーが設けられている。光源７からの照明光は、不図示の照明光学系及びハーフミラーを介して観察光軸ａに沿って対物レンズ６側に反射し、対物レンズ６を介して試料３に照射される。
【００２２】
アーム部１ｃ先端部の上方には、観察鏡筒を構成する三眼鏡筒８が装着されている。三眼鏡筒８には、接眼レンズ９と撮像装置１０が設けられている。試料３の観察光(試料３からの反射光)は、観察光軸ａに沿って対物レンズ６より三眼鏡筒８に導かれて２分割され、一方の光が接眼レンズ９に導かれ、検鏡者による目視観察が行われる。また、他方の光が撮像装置１０に導かれ撮像される。
【００２３】
顕微鏡本体１のアーム部１ｃ側面には、図２に示すように表示手段を構成する、例えば、表示部として液晶ディスプレイ等のモニタ１１が設けられている。このモニタ１１は、顕微鏡本体１の側方で、且つ接眼レンズ９の近傍に配置される。この場合、モニタ１１は、接眼レンズ９又は接眼レンズ９を介して検鏡者が像を観察する際の眼の位置、つまりアイポイント９ａと同じ高さになるのが最も望ましい。
【００２４】
モニタ１１には、ケーブル１５を介して前記撮像装置１０が接続されている。モニタ１１には、撮像装置１０で撮像された映像信号が送られ、試料３の観察像が表示される。また、モニタ１１には、ケーブル１７を介してＰＣ（パーソナルコンピュータ）１８が接続されている。このＰＣ１８は、観察試料の解説や観察目的に応じた操作手順の説明などの各種の情報が記憶されたもので、これら情報をモニタ１１に表示させる。
【００２５】
図３乃至図５は、モニタ１１を顕微鏡本体１に固定するための固定手段の概略構成を示している。図４に示すようにモニタ１１は、モニタ本体１１ａの背面に固定ブロック１２が設けられている。この固定ブロック１２は、直方体をしたもので、相対向する一対の側面１２ａ、１２ｂの間を貫通する孔部１２ｃが形成されている。この孔部１２ｃは、モニタ本体１１ａの背面に沿って水平方向に形成されている。
【００２６】
固定ブロック１２には、固定手段としての固定軸１３が固定されている。この固定軸１３は、直線状をしたもので、一方端部には、図５に示すように段部１３ａを介して小径部１３ｂが形成されている。この小径部１３ｂは、孔部１２ｃの内径より僅かに小さな外径を有するもので、孔部１２ｃに挿入される。小径部１３ｂの先端面には、ねじ孔１３ｃが固定軸１３の中心軸方向に設けられている。このねじ孔１３ｃには、固定ねじ１４がねじ込まれる。この固定ねじ１４は、径の大きな頭部１４ａを有するもので、ねじ込みにより頭部１４ａが固定ブロック１２の他方の側面１２ｂに当接するようにしている。
【００２７】
この場合、孔部１２ｃの長さ寸法を固定軸１３の小径部１３ｂの長さ寸法より大きく設定し、さらに小径部１３ｂ先端面のねじ孔１３ｃの深さ寸法を十分に長くして、固定軸１３の段部１３aを固定ブロック１２の一方の側面１２ａに当接させた状態で、固定ねじ１４をねじ込み、頭部１４ａを固定ブロック１２の他方側面１２ｂに当接させることで、固定軸１３に固定ブロック１２を固定する。また、固定ねじ１４のねじ込みを弱め、頭部１４ａと固定ブロック１２の側面１２ｂとの当接状態を緩めることで、固定ブロック１２を回動できるようにもしている。つまり、固定ねじ１４のねじ込みが緩い状態では、固定軸１３の軸心を中心としてモニタ１１を回動させることができ、モニタ１１の上下方向の角度調整が可能となっている。
【００２８】
一方、固定軸１３の他方端部には、図３に示すようにねじ部１３ｄが形成されている。このねじ部１３ｄは、顕微鏡本体１のアーム部１ｃ側面に形成されたねじ孔１ｄにねじ込まれる。この場合、アーム部１ｃのねじ孔１ｄ周囲は、モニタ１１を支持するのに十分な強度を確保できる構成になっている。
【００２９】
このような構成において、モニタ１１を顕微鏡本体１に取り付ける場合は、まず、図３に示すように固定軸１３の他方端部のねじ部１３dを顕微鏡本体１のアーム部１ｃ側面のねじ孔１ｄにねじ込み固定する。次に、図５に示すように固定軸１３の一方端部の小径部１３ｂをモニタ本体１１ａ背面に設けられた固定ブロック１２の孔部１２ｃに通し、小径部１３ｂ先端面のねじ孔１３ｃに固定ねじ１４をねじ込む。この場合、固定ねじ１４のねじ込みにより、固定軸１３の段部１３aを固定ブロック１２の一方の側面１２ａに当接させ、さらに固定ねじ１４の頭部１４ａを固定ブロック１２の他方側面１２ｂに当接させることで固定ブロック１２を固定する。
【００３０】
モニタ１１を顕微鏡本体１から取り外す場合は、上述と逆の操作を行う。また、モニタ１１の上下方向の角度を調整する場合は、図４に示すように固定ブロック１２の孔部１２ｃに固定軸１３を通した状態で固定ネジ１４を緩めて固定軸１３を軸としてモニタ１１を回動させ、モニタ１１の上下方向の角度を任意に設定した後、固定ネジ１４を締め付け固定する。
【００３１】
したがって、このようにすれば顕微鏡本体１の側方で、接眼レンズ９の近傍にモニタ１１を配置することができ、これにより検鏡者は、視線を左右（水平）に移動させるだけでモニタ１１の表示内容を読み取ることができる。上述したように、人間が頭を動かさないで見ることのできる範囲は、目に対して上下方向よりも左右方向の方が上下方向に比べて広いことが知られており、このことからも人間の眼の機能を考慮すると、視線を左右に移動させるだけでモニタ１１の表示内容を素早く、しかも正確に読み取ることができる。このことは、ＰＣ１８により、例えば観察目的に応じた操作手順の説明などをモニタ表示し、検鏡者は、これら表示内容を確認しながら観察作業を進めるような場合、検鏡者は、接眼レンズ９により観察像を目視観察しながら、次の観察ステップに必要な操作手順の説明内容を視線を水平方向に移動させてモニタ１１から素早く読み取り、次の顕微鏡操作を行うといった複雑な作業も効率よく行うことができるようになり、この種の作業を行う際の検鏡者の負担を大幅に軽減することができる。また、検鏡者の好みに合わせて固定軸１３の軸心を中心としてモニタ１１の表示角度を最適な状態に設定できるので、さらに検鏡者によるモニタ１１の読み取りを精度高めることができる。さらに、モニタ１１を顕微鏡本体１に固定することにより、モニタ１１のための机上の占有スペースを確保する必要がなくなり、顕微鏡の操作性の低下を防止することもできる。
【００３２】
このようにして、第１の実施の形態によれば、目視観察とモニタ観察間での検鏡者の視線移動による負担が大幅に軽減され、机上にモニタ１１を設置するためのスペースの必要性がなく、さらにモニタ１１を机上に設置することによる顕微鏡の操作性の低下を生じない顕微鏡システムを提供できる。
【００３３】
なお、顕微鏡本体１のアーム部１c側に設けられるねじ孔１dは、アーム部１cの一方側面だけでなく、予め両側面に設けておけば、顕微鏡本体１の正面から見て左右どちらにでもモニタ１１を配置することができる。また、固定ブロック１２をモニタ本体１１ａの背面において上下移動できるような構成とすれば、接眼レンズ９の位置に対して、モニタ１１を上下方向で調整することも可能になる。また、固定軸１３は、その他のもので代用しても構わず、例えば、フレキシブルアーム等の多リンク機構のものを用いることも可能である。
【００３４】
（第２の実施の形態）
次に、本発明の第２の実施の形態を説明する。
【００３５】
図６は、第２の実施の形態の要部の概略構成を示す図、図７、図８及び図９は、アーム部、中間鏡筒及び三眼鏡筒の間を接続する手段の概略構成を示し、図７、図８は、正面図、図９は顕微鏡本体１の正面から向かって右側からの側面図である。これら図面は、第１実施例の形態と同一部分には同符号を付して説明を省略し、異なる点について説明する。
【００３６】
この場合、顕微鏡本体１のアーム部１ｃと三眼鏡筒８の間に、固定手段を構成する中間鏡筒２１が配置されている。この中間鏡筒２１には、固定軸１３を介してモニタ１１が固定される。ここで、固定軸１３とモニタ１１を接続するための構成は図示していないが、第１の実施の形態で述べたと同様である。
【００３７】
顕微鏡本体１は、アーム部１ｃ先端部の上面に前記試料３の観察光（観察光軸ａ）が通る開口部１ｅを有し、この開口部１ｅにメスアリ２２ａが形成されている。アーム部１ｃの側面には、ねじ孔２２ｂが形成されている。このねじ孔２２ｂは、メスアリ２２ａに嵌合される後述するオスアリ２４側まで貫通していて、ビス２３をねじ込むことで、前記オスアリ２４側面を押圧可能としている。
【００３８】
中間鏡筒２１は、アーム部１ｃを介して導かれる前記試料３の観察光（観察光軸ａ）が通る中空部２１aを有する筒状をしたもので、側面にねじ孔２１ｂが形成されている。この場合、ねじ孔２１ｂは、図９に示すように中空部２１aから僅かにずれた位置に形成される。ねじ孔２１ｂには、前記固定軸１３のねじ部１３ｄがねじ込まれ、この固定軸１３を介してモニタ１１が支持される。この場合、中間鏡筒２１のねじ孔２１ｂ周囲は、モニタ１１を支持するのに十分な強度を確保できる構成になっている。
【００３９】
中間鏡筒２１のアーム部１ｃ側の開口部には、前記メスアリ２２ａに対応するオスアリ２４が設けられている。このオスアリ２４は、前記メスアリ２２ａに嵌合され、この状態で、前記ねじ孔２２ｂにねじ込まれるビス２３の先端で押圧され、メスアリ２２ａ内で固定される。中間鏡筒２１の三眼鏡筒８側の開口部には、メスアリ２５ａが形成されている。中間鏡筒２１の側面には、ねじ孔２５ｂが形成されている。このねじ孔２５ｂは、メスアリ２５ａに嵌合される後述するオスアリ２７側まで貫通していて、このねじ孔２５ｂに固定手段のビス２６をねじ込み、前記オスアリ２７側面を押圧可能としている。
【００４０】
三眼鏡筒８は、中間鏡筒２１側の開口部には、前記メスアリ２５ａに対応するオスアリ２７が設けられている。このオスアリ２７は、前記メスアリ２５ａに嵌合され、この状態で、前記ねじ孔２５ｂにねじ込まれるビス２６の先端で押圧され、メスアリ２５ａ内で固定される。
【００４１】
なお、三眼鏡筒８のオスアリ２７は、前記アーム部１ｃのメスアリ２２ａにも対応するもので、中間鏡筒２１を取り付けない場合は、直接メスアリ２２ａに嵌合させ、前記ねじ孔２２ｂにねじ込まれるビス２３先端で押圧することで、メスアリ２２ａ内に固定できる。
【００４２】
このような構成において、まず、顕微鏡本体１のアーム部１ｃ先端部のメスアリ２２ａに中間鏡筒２１のオスアリ２４を嵌合し、ねじ孔２２ｂにビス２３をねじ込み、ビス２３先端でオスアリ２４側面を押圧することで、オスアリ２４をメスアリ２２ａ内に固定する。次に、中間鏡筒２１のメスアリ２５ａに三眼鏡筒８のオスアリ２７を嵌合し、ねじ孔２５ｂにビス２６をねじ込み、ビス２６先端でオスアリ２７側面を押圧することでオスアリ２７をメスアリ２５ａ内に固定する。これにより、図８及び図９に示すように顕微鏡本体１のアーム部１ｃと三眼鏡筒８の間に中間鏡筒２１が位置された状態で組み立てられる。
【００４３】
この状態で、ビス２３、２６のねじ込みを緩めると、中間鏡筒２１は、メスアリ２２ａ及びオスアリ２７の軸心、つまり観察光軸ａを中心に回転可能となる。これにより、モニタ１１を回動させて前後方向の角度調整を行うことが可能となる。この角度調整の後は、中間鏡筒２１の回転を止め、ビス２３、２６をねじ込み、アーム部１ｃ、中間鏡筒２１及び三眼鏡筒８の間を固定する。また、固定軸１３に対するモニタ１１の上下方向の角度調整は、第１の実施の形態で述べたと同様にして行われる。
【００４４】
したがって、このようにしても第１の実施の形態と同様な効果を得られる。加えて、モニタ１１を固定する手段として中間鏡筒２１を設けることにより、既存の顕微鏡本体１に特別な加工を加えることなく、モニタ１１を取り付けることができる。つまり、汎用性を有するアリ構造により中間鏡筒２１を取り付けることができるので、同じアリ構造を持つ顕微鏡であれば、簡単にモニタ１１を設けた中間鏡筒２１を取り付けることができる。また、ビス２３、２６のねじ込みを緩めるだけで中間鏡筒２１を回転させ、任意の位置で固定できるので、ユーザの好みに合わせてモニタ１１の前後方向の角度調整を行うことができる。
【００４５】
なお、中間鏡筒２１の側面に設けられるねじ孔２１ｂは、一方側面だけでなく、予め両側面に設けておけば、顕微鏡本体１の正面から見て左右どちらにでもモニタ１１を配置することができる。また、中間鏡筒２１にねじ孔２１ｂを設け、このねじ孔２１ｂにねじ込み固定される固定軸１３を介してモニタ１１を設けるようにしたが、中間鏡筒２１と、固定軸１３は、予め一体で形成されたものでもよい。また、固定軸１３は、その他のもので代用しても構わず、例えば、フレキシブルアーム等の多リンク機構のものを用いることも可能である。さらに、上述した実施の形態では、モニタ１１を固定するため専用の中間鏡筒２１を設けるようにしたが、例えばＡＦ（オートフォーカス）などに用いられる中間鏡筒を利用して、この中間鏡筒にねじ孔を設け、このねじ孔に固定される固定軸１３を介してモニタ１１を設けるようにしてもよい。
【００４６】
（第３の実施の形態）
次に、本発明の第３の実施の形態を説明する。
【００４７】
図１０は、第３の実施の形態の要部の概略構成を示す図、図１１は、モニタ取付ユニットの顕微鏡本体への取付け状態の概略構成を示す図、図１２は、モニタ取付ユニットの固定軸とモニタの接続部の概略構成を示す側断面図である。これら図面は、第１実施例の形態と同一部分には同符号を付して説明を省略し、異なる点について説明する。
【００４８】
顕微鏡本体１のアーム部１ｃには、表示部取付け手段としてモニタ取付ユニット３１が設けられている。このモニタ取付ユニット３１は、図１１に示すように相対向する一対の突壁３１ａ１、３１ａ２を形成したコ字形状をしたユニット本体３１ａを有している。ユニット本体３１ａの一方の突壁３１ａ１には、ねじ孔３２が形成されている。このねじ孔３２は、突壁３１ａ１、３１ａ２で挟まれたユニット本体３１ａの底面３１ａ３と平行になる方向に形成されている。このねじ孔３２には、突壁３１ａ１を貫通させて固定具３３が設けられている。この固定具３３は、周面に前記ねじ孔３２に螺装されるねじ部３３ａが形成されている。また、固定具３３は、一方端部（ユニット本体３１ａの外に位置される側端）に回転操作つまみ３４が設けられ、他方端（突壁３１ａ１と３１ａ２の間に位置される側端）に押し付け部材３５が設けられている。操作つまみ３４は、固定具３３を回転操作するもので、その回転によりねじ部３２に沿って固定具３３を移動させ、突壁３１ａ１からの押し付け部材３５の突出量、つまり押し付け部材３５と突壁３１ａ２の間の間隔を調整する。押し付け部材３５は、ユニット本体３１ａの突壁３１ａ２とともに三眼鏡筒８を挟持するもので、ここでは、顕微鏡本体１のアーム部１ｃ側面の当接する部分に傷を付けないようにするため例えば樹脂材料やゴム材料シートなどが貼られている。
【００４９】
このようなモニタ取付ユニット３１は、図１１に示すようにアーム部１ｃの後部から、突壁３１ａ１と３１ａ２の間にアーム部１ｃを位置させ、操作つまみ３４を操作して固定具３３をねじ部３２に沿って移動し押し付け部材３５と突壁３１ａ２の間の間隔を調整してアーム部１ｃを挟持して固定する。この場合、モニタ取付ユニット３１は、図１１に示すように押し付け部材３５がアーム部１ｃ側の側面１ｃ１、モニタ取付ユニット３１の底面３１ａ３がアーム部１ｃ側の上面１ｃ２、及び突壁３１ａ２がアーム部１ｃ側の他方側面１ｃ３にそれぞれ当て付けられる。
【００５０】
ユニット本体３１ａの突壁３１ａ２基端部には、穴部３１ａ４が設けられている。この穴部３１ａ４は、突壁３１ａ２と直交する方向に所定の深さで形成されている。また、ユニット本体３１ａには、前記穴部３１ａ４に貫通するねじ孔３１ａ５が形成されている。このねじ孔３１ａ５は、穴部３１ａ４の中心軸に対し直交する方向に形成されている。
【００５１】
穴部３１ａ４には、固定部材としての固定軸３６が着脱可能に設けられる。固定軸３６は、図１０に示すように中間部をほぼ直角に折り曲げたL字型をしたもので、一方端部が前記穴部３１ａ４に挿入され、ねじ孔３１ａ５よりねじ込まれる固定ビス３７によりユニット本体３１ａに固定される。また、固定軸３６の他方端部には、モニタ１１が接続される。この場合、モニタ１１は、図１２に示すようにモニタ本体１１ａの背面に固定ブロック３８が設けられている。この固定ブロック３８は、モニタ本体１１ａ背面から垂直方向に突出する板状の突出部３８ａが設けられている。また、この板状の突出部３８ａは、板面中心部に貫通孔３８ｂが形成されている。一方、前記固定軸３６の他方端部には、固定軸３６の中心軸方向に突出する板状の突出部３６ａが形成されている。この板状の突出部３６ａは、板面中心部に貫通孔３６ｂが形成されている。この貫通孔３６ｂは、突出部３６ａの板面を前記突出部３８ａの板面に当接させた状態で貫通孔３８ｂに連通する。これら貫通孔３６ｂ、３８ｂには、ボルト３９が挿通される。このボルト３９先端には、ナット４０が螺装され、このナット４０により突出部３６ａと３８aの間が締め付けられ、モニタ１１が固定軸３６に固定される。この場合、ナット４０の締め付け状態を緩めることで、固定ブロック３８側を回転できるようにしている。つまり、ナット４０の締め付けが緩い状態では、ボルト３９の軸心を中心としてモニタ１１を回動させることができ、モニタ１１の上下方向の角度調整が可能となっている。
【００５２】
このような構成において、モニタ取付ユニット３１を顕微鏡本体１のアーム１ｃに取り付けるには、モニタ取付ユニット３１の操作つまみ３４を操作して固定具３３を回転し、押し付け部材３５と突壁３１ａ２の間の間隔を十分に開けておく。そして、押し付け部材３５と突壁３１ａ２の間にアーム部１ｃを位置させ、モニタ取付ユニット３１の底面３１ａ３をアーム部１ｃ側の上面１ｃ２、突壁３１ａ２をアーム部１ｃ側の他方側面１ｃ３にそれぞれ当て付け、この状態で、操作つまみ３４を操作して固定具３３をねじ部３３ａに沿って移動させ、押し付け部材３５をアーム部１ｃの側面１ｃ１に当て付ける。
【００５３】
次に、ユニット本体３１ａの穴部３１ａ４に固定軸３６の一方端部を挿入し、ねじ孔３１ａ５に固定ビス３７をねじ込んで固定する。この時、固定軸３６の他方端部が顕微鏡本体の正面を向くように調整する。次に、固定軸３６の他方端部の突出部３６ａの板面に、モニタ本体１１ａの固定ブロック３８の突出部３８ａの板面を当接させ、それぞれの貫通孔３６ｂと３８ｂを一致させてボルト３９を通し、ナット４０を締めこむことにより、モニタ１１を固定軸３６に固定する。この場合、モニタ１１の取付け角度を変えるには、ナット４０を緩め、任意の角度に調整し、その後、再度ナット４０を締め込んでモニタ１１を固定する。
【００５４】
なお、上述では、顕微鏡本体１の正面から見てモニタ１１を顕微鏡本体１の右側に取り付けたが、反対側の左側に取り付けたい場合は、モニタ取付ユニット３１の取り付け向きを逆にし、上述したのと同じ手順を繰り返すことにより、左側に取り付けることができる。また、三眼鏡筒８からモニタ取付ユニット３１を取り外す場合は、上記の逆の操作を行えばよい。さらに、上述では、モニタ取付ユニット３１を顕微鏡１に取付ける例を述べたが、三眼鏡筒８に取付けるようにしてもよい。
【００５５】
したがって、このようにしても第１の実施の形態と同様な効果を得られる。加えて、アイポイント９ａの高さはモニタ１１を取り付ける前も後も変化しないので、接眼レンズ９での目視観察に違和感が起こりにくでき、安定した顕微鏡観察を行うことができる。
【００５６】
（第４の実施の形態）
次に、本発明の第４の実施の形態を説明する。
【００５７】
図１３は、第４の実施の形態の概略構成を示す図で、第１実施例の形態と同一部分には同符号を付して説明を省略し、異なる点について説明する。
【００５８】
この場合、モニタ１１には、撮像装置１０に代えてＰＣ（パーソナルコンピュータ）４１が接続されている。ＰＣ４１は不図示の机上の任意の位置に置かれており、モニタ１１とはケーブル４２を介して接続されている。ＰＣ４１には、予め撮像しておいた、試料画像や、設計図面等のリファレンス画像が保存されている。
【００５９】
このような構成において、モニタ１１の顕微鏡本体１への取り付けは、上述した第１乃至第３の実施の形態と同様である。この状態で、ＰＣ４１に保存されている情報、ここでは、予め撮像しておいた試料画像や、設計図面等のリファレンス画像等がモニタ１１に表示される。
【００６０】
したがって、このようにすれば、第１の実施の形態の効果に加え、さらにモニタ１１には撮像装置１０からの観察画像以外の、予め撮像しておいた試料画像や、設計図面等のリファレンス画像などの情報を表示することができ、観察中の画像との比較などを行うことができる。
【００６１】
なお、この第４の実施の形態は、第１の実施の形態を基に説明したが、第２の実施の形態及び第３の実施の形態でも適用可能である。
【００６２】
（変形例）
次に、本発明の変形例を説明する。
【００６３】
図１４は、変形例の要部の概略構成を示す図で、第１実施例の形態と同一部分には同符号を付して説明を省略し、異なる点について説明する。
【００６４】
この場合、顕微鏡本体１のアーム部１ｃの両側面には、同じ径と深さのねじ孔５１ａ、５１ｂが設けられ、これらねじ孔５１ａ、５１ｂには、モニタ５２ａを取り付けた固定軸５３ａと、モニタ５２ｂを取り付けた固定軸５３ｂを各別に固定し、接眼レンズ９に対し両側にモニタ５２ａ、５２ｂを配置するようにしている。
【００６５】
このような構成とすると、接眼レンズ９の両側にモニタ５２ａ、５２ｂが配置されるので、一方のモニタ５２ａに撮像装置１０を接続し、他方のモニタ５２ｂに不図示のＰＣを接続するなどして、一方のモニタ５２ａに表示される観察画像と同時に、ＰＣに保存されている観察試料の解説や観察目的に応じた操作手順の説明などの各種の情報を他方のモニタ５２ｂに同時に表示できる顕微鏡システムを提供できる。この場合、ユーザの好みに合わせてモニタ５２ａ、５２ｂのいずれか一方を用いれば、接眼レンズ９に対し左右どちらか一方にも配置できる。
【００６６】
なお、この変形例では、アーム部１ｃの両側面には、１個ずつねじ孔５１ａ、５１ｂを形成した例を述べたが、２個以上であっても勿論よく、このようにすれば、モニタ５２ａ、５２ｂの大きさやユーザの好みに合わせて顕微鏡本体１に対する設置位置を変えることができる。
【００６７】
なお、この変形例の考えは、第１の実施の形態を基に説明したが、第２の実施の形態の中間鏡筒２１及び第３の実施の形態のモニタ取付ユニット３１においても適用可能である。このようにすれば、変形例と同様の効果は得られる。
【００６８】
なお、本発明は、上記実施の形態に限定されるものでなく、実施段階では、その要旨を変更しない範囲で種々変形することが可能である。例えば、第１の実施の形態と変形例で述べた顕微鏡本体１と固定軸１３の固定方法、第２の実施の形態で述べた中間鏡筒２１と固定軸１３の固定方法、第３の実施の形態におけるモニタ取付ユニット３１と固定軸３６の固定方法は、それぞれねじによる固定方法を用いたが、例えば吸盤、磁石など確実な固定ができ、着脱可能であればどのような方法を採用しても構わない。このような構成としても、それぞれ実施の形態と同様の作用と効果が得られる。また、固定ブロック又は固定軸に対して例えばスライド機構などの移動機構や回転機構を用いてモニタ１１を移動調整及び角度調整を可能とする構成としても良い。これにより観察者に、より適した視認性の高い顕微鏡を提供することができる。
【００６９】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００７０】
【図１】本発明の第１の実施の形態にかかる顕微鏡システムの概略構成を示す図。
【図２】第１の実施の形態にかかる顕微鏡システムの要部の概略構成を示す図。
【図３】第１の実施の形態のモニタを顕微鏡本体に固定する手段の概略構成を示す図。
【図４】第１の実施の形態のモニタを顕微鏡本体に固定する手段の概略構成を示す図。
【図５】第１の実施の形態のモニタを顕微鏡本体に固定する手段の詳細を示す図。
【図６】本発明の第２の実施の形態の要部の概略構成を示す図。
【図７】第２の実施の形態のアーム部、中間鏡筒及び三眼鏡筒の間を接続するための手段の概略構成（固定前）を示す図。
【図８】第２の実施の形態のアーム部、中間鏡筒及び三眼鏡筒の間を接続するための手段の概略構成(固定後)を示す図。
【図９】第２の実施の形態のアーム部、中間鏡筒及び三眼鏡筒の間を接続するための手段の概略構成を示す図。
【図１０】本発明の第３の実施の形態の要部の概略構成を示す図。
【図１１】第３の実施の形態のモニタ取付ユニットの三眼鏡筒への取付けを示す図。
【図１２】第３の実施の形態のモニタ取付ユニットの固定軸とモニタの接続部を示す図。
【図１３】本発明の第４の実施の形態の概略構成を示す図。
【図１４】本発明の変形例の要部の概略構成を示す図。
【図１５】従来の顕微鏡システムの概略構成を示す図。
【符号の説明】
【００７１】
１…顕微鏡本体、１ａ…ベース部、１ｂ…支柱部
１ｃ…アーム部、１ｃ１、１ｃ３…側面、１ｃ２…上面
１ｄ…ねじ孔、１ｅ…開口部
２…ステージ、３…試料、４…焦準ハンドル
５…レボルバ、６…対物レンズ、７…光源
８…三眼鏡筒、
９…接眼レンズ、９ａ…アイポイント、１０…撮像装置
１１…モニタ、１１ａ…モニタ本体
１２…固定ブロック、１２ａ．１２ｂ…側面
１２ｃ…孔部、１３…固定軸、１３ａ…段部
１３ｂ…小径部、１３ｃ…ねじ孔
１４ａ…頭部、１４…固定ネジ、１５、１７…ケーブル
１８…ＰＣ、２１…中間鏡筒、２１a…中空部
２１ｂ…ねじ孔ね２２ａ…メスアリ、２２ｂ…ねじ孔
２３、２６…ビス、２４…オスアリ、２５ａ…メスアリ
２５ｂ…ねじ孔、２７…オスアリ、３１…モニタ取付ユニット
３１ａ…ユニット本体、３１ａ１．３１ａ２…突壁
３１ａ３…底面、３１ａ４…穴部、３１ａ５…ねじ孔
３２…ねじ孔、３３…固定具、３４…回転操作つまみ
３５…押し付け部材、３６…固定軸、３６ａ…突出部
３６ｂ…貫通孔ね３７…固定ビス、３８…固定ブロック
３８ａ…突出部、３８ｂ…貫通孔、３９…ボルト、４０…ナット
４１…ＰＣ、４２…ケーブル、５１ａ．５１ｂ…ねじ孔
５２ａ．５２ｂ…モニタ、５３ａ、５３ｂ…固定軸
【図１】
2007256810.tif 000003
【図２】
2007256810.tif 000004
【図３】
2007256810.tif 000005
【図４】
2007256810.tif 000006
【図５】
2007256810.tif 000007
【図６】
2007256810.tif 000008
【図７】
2007256810.tif 000009
【図８】
2007256810.tif 000010
【図９】
2007256810.tif 000011
【図１０】
2007256810.tif 000012
【図１１】
2007256810.tif 000013
【図１２】
2007256810.tif 000014
【図１３】
2007256810.tif 000015
【図１４】
2007256810.tif 000016
【図１５】
2007256810.tif 000017